(57)【要約】  ユーザーの存在及びユーザーの相互作用検出を用いる電力管理システムが開示される。画像キャプチャ装置は、ユーザーの相互作用が検出される限り、低電力状態のままである。如何なるユーザーの相互作用も検出されない場合、画像キャプチャ装置は、通常電力状態に置かれ、画像をキャプチャする。画像は、ユーザーの存在を決定するために分析される。ユーザーの存在が検出された場合、画像キャプチャ装置は、低電力状態に置かれる。【特許請求の範囲】
【請求項１】
システムであって、
プロセッサー、
前記プロセッサーと結合されたディスプレイ、及び
前記プロセッサーと結合された画像キャプチャ装置、を有し、
ユーザーの前記コンピューターシステムとの相互作用が検出された場合、前記画像キャプチャ装置の電力消費は低減される、システム。
【請求項２】
如何なるユーザーの前記コンピューターシステムとの相互作用も検出されない場合、前記画像キャプチャ装置の電力消費は回復される、請求項１記載のシステム。
【請求項３】
如何なるユーザーの相互作用も検出されない時、及び前記画像キャプチャ装置の電力消費は回復される時の間に、第１の遅延が生じる、請求項２記載のシステム。
【請求項４】
前記画像キャプチャ装置は、ユーザーの存在を検出するために用いられる画像を捉える、請求項２記載のシステム。
【請求項５】
如何なるユーザーの存在も検出されない場合、前記ディスプレイ及び前記プロセッサーの１つ以上の電力消費は低減される、請求項４記載のシステム。
【請求項６】
如何なるユーザーの存在も検出されない時、及び前記ディスプレイ及び前記プロセッサーの１つ以上の電力消費が低減された時の間に、第２の遅延が生じる、請求項４記載のシステム。
【請求項７】
起動信号の受信の後、前記ディスプレイ及び前記プロセッサーの１つ以上の電力消費は回復される、請求項５記載のシステム。
【請求項８】
前記起動信号の受信の後、前記画像キャプチャ装置の電力消費は低減される、請求項７記載のシステム。
【請求項９】
前記起動信号は、前記プロセッサーと結合されたキーボードのキーを押下することにより生成される、請求項８記載のシステム。
【請求項１０】
方法であって、
如何なるユーザーのコンピューターシステムとの相互作用も検出されない場合、ユーザーの存在を分析されるべき画像を捉える画像キャプチャ装置の電力消費を増大する段階、及び
前記ユーザーの存在が検出された場合、前記コンピューターシステムの電力消費を維持する段階、を有する方法。
【請求項１１】
前記コンピューターシステムの電力消費を維持する段階は、前記画像キャプチャ装置の電力消費を低減する段階を有する、請求項１０記載の方法。
【請求項１２】
前記画像キャプチャ装置の電力消費を増大する段階は、前記画像キャプチャ装置の電源をオンにする段階を有し、及び前記画像キャプチャ装置の電力消費を低減する段階は、前記画像キャプチャ装置の電源をオフにする段階を有する、請求項１１記載の方法。
【請求項１３】
前記ユーザーの存在が検出されない場合、前記コンピューターシステムの電力消費を低減する段階を更に有する、請求項１０記載の方法。
【請求項１４】
前記コンピューターシステムの電力消費を低減する段階は、前記コンピューターシステムと関連したディスプレイ及びプロセッサーの１つ以上の電力消費を低減する段階を有する、請求項１３記載の方法。
【請求項１５】
前記コンピューターシステムの電力消費を低減する段階は、前記画像キャプチャ装置の電力消費を低減する段階を更に有する、請求項１４記載の方法。
【請求項１６】
前記ユーザーの相互作用は、キーボード及びマウスの相互作用の１つ以上を有する、請求項１０記載の方法。
【請求項１７】
機械読み取り可能な媒体であって、コンピューターシステムにより実行された場合に、前記コンピューターシステムに方法を実行させる機械読み取り可能な命令を有し、前記方法は、
ユーザーが前記コンピューターシステムと相互作用している場合、画像キャプチャ装置の電源をオフに保ち、その他の場合、前記画像キャプチャ装置の電源をオンにし、ユーザーが存在するかどうかを決定する段階、及び
前記ユーザーが存在すると決定された場合、前記画像キャプチャ装置の電源をオフにする段階、
を有する、機械読み取り可能な媒体。
【請求項１８】
前記ユーザーが存在しないと決定された場合、前記コンピューターシステムと関連するディスプレイの電力消費を低減する段階、
を更に有する請求項１７記載の機械読み取り可能な媒体。
【請求項１９】
前記ユーザーが存在しないと決定された場合、前記コンピューターシステムと関連するプロセッサーの電力消費を低減する段階、
を更に有する請求項１８記載の機械読み取り可能な媒体。
【請求項２０】
前記ユーザーから起動信号を受信すると、前記ディスプレイ及び前記プロセッサーの１つ以上の電力消費は回復される、請求項１９記載の機械読み取り可能な媒体。
【請求項２１】
前記ユーザーから前記起動信号を受信すると、前記画像キャプチャ装置は電源がオフのままである、請求項２０記載のシステム。
【発明の詳細な説明】
【技術分野】
【０００１】
本発明は、一般に、コンピューターシステムに関連し、より詳細には、コンピューターシステムの電力管理に関連する。
【背景技術】
【０００２】
コンピューターシステムは、私たちの社会に益々普及してきている。このようなコンピューターシステムは、パーソナル・デジタル・データ・アシスタントや携帯電話のような小型のハンドヘルド電子機器から、セットトップボックスや他の消費家電のような特定用途向け電子構成要素、中型の携帯型及びデスクトップシステム、大型のワークステーションやサーバーまで全てを含む。無線技術の展開に伴い、バッテリー寿命は携帯型システムの非常に重要な特性になった。
【０００３】
より高性能のコンピューターシステムを消費者に提供するため、設計者らは、絶えずプロセッサーの動作速度を増大するよう努力する。プロセッサー速度の増大の副作用は、プロセッサーによる消費電力量の増大である。システムの電力消費が増大した結果、より大きな熱／冷却システム、より大きな電力供給システムが必要とされ、またバッテリー寿命が縮められた。
【０００４】
コンピューターシステムの電力消費を低減するある手法は、ディスプレイ・パワー・マネジメント・システム（ＤＰＭＳ）プロトコルに基づく。ＤＰＭＳは、コンピューターシステムのビデオディスプレイ回路の部分の電源を選択的に切るために用いられる。ＤＰＭＳに対応するマザーボード及びディスプレイでは、コンピューターシステムによる、特にディスプレイによる電力消費は、大きく低減され得る。ＤＰＭＳに対応するマザーボードは、しばしばＢＩＯＳ（ベーシック・インプット／アウトプット・システム）設定を有し、電力消費オプションを有効にする。ＢＩＯＳ設定は、電源をオフにされるべきディスプレイの、システムがアイドルである（つまり、ユーザーからの如何なる活動も検出されない）時間長を制御する。
【０００５】
アイドル時間長は、分又は時間で指定されるか、又は「無効」又は「なし」に設定されて良い。コンピューターシステムは、次にアイドル時間中のユーザーの活動を検出しようとする。ユーザーの活動は、例えば、キーボードのキーの押下、マウスの動き等が含まれる。アイドル時間中及びアイドル時間の終了時に如何なる活動も検出されなかった場合、コンピューターシステムは、適切な制御信号をディスプレイへ送出し、ディスプレイの電源を切る。ディスプレイの電源が切られ、システムがユーザーの活動を検出した場合、システムは、適切な制御信号を送出しディスプレイの電源を入れる。
【０００６】
電力管理の別の手法は、オペレーティング・システム又はアプリケーション・ソフトウェアを用いユーザーの選択を設定することによる。例えば、ディスプレイへの電力は、電力管理プロパティ内の電源断オプションを特定の固定期限値に設定することにより管理され得る。期限値は、１分乃至「なし」の範囲で、ポップアップウインドウ内で提供される如何なる値に設定されて良い。期限値は、固定的であり、別の値が選択されるまで同一のままである。図１は、電力管理選択を指定するために用いられるポップアップウインドウの従来の例を示す。図１に示されるように、電力は、モニター、ハードディスクの電源を切り、そしてシステムをスタンバイモードにするユーザー選択を設定することにより管理され得る。
【０００７】
図１に示された技術のある不利点は、コンピューターシステムが使われていないアイドル時間中の電力消費は低減しないということである。コンピューターシステムのアイドル時間は、広範囲であり得る。例えば、アイドル時間は、ユーザーがコンピューターシステムを使っていると推定される全時間の約５０％乃至８０％の間の範囲であり得る。例えば、ユーザーはコンピューターシステムの前に位置しているが、ユーザーがキーボード又はマウスを使わず、読み物をしている又は電話で話している等である。
【発明の開示】
【発明が解決しようとする課題】
【０００８】
従って、アイドル時間中のコンピューターシステムの電力消費を更に低減することは有利である。
【課題を解決するための手段】
【０００９】
ユーザーの存在及び入力検出を用いコンピューターシステムの電力消費を低減する方法及び装置が開示される。ある実施例では、画像キャプチャ装置は、コンピューターシステムと結合され、コンピューターシステムのユーザーによる如何なる活動もない場合に作動させられて良い。画像キャプチャ装置は、ユーザーの存在又は不在の決定を支援するために用いられて良い。
【００１０】
以下の詳細な説明では、説明を目的として、本発明の完全な理解を提供するために、多くの詳細事項が説明される。しかしながら、当業者は、本発明がそのような特定の詳細にかかわらず実施されて良いことを理解するだろう。他の例では、良く知られている構造、処理及び装置は、必要以上の詳細を有さない説明を提供するため、ブロック図の形式で示されるか、又は概要の形式で参照される。
【００１１】
本願明細書で用いられるように、「場合」の語は、事象の一時的な特性を示すために用いられ得る。例えば、「事象Ｂが生じた場合、事象Ａが生じる」の文は、事象Ａは、事象Ｂの発生の前、最中、又は後に生じ得ることを意味すると解釈されるべきであるが、それでも事象Ｂの発生と関連しない。例えば、事象Ｂの発生に応じて、又は事象Ｂが生じた、生じている、又は将来に生じるということを示す信号に応じて事象Ａが生じるならば、事象Ｂが生じた場合、事象Ａが生じる。
【発明を実施するための最良の形態】
【００１２】
本願発明は、添付の図面に例として図示されるが、これらに限定されない。また、複数の図面で、類似の参照符号を用い同様の要素を参照する。
【００１３】
［システム］
図２は、ある実施例によるコンピューターシステムの例を示す図である。コンピューターシステム２３０は、持ち運び可能なコンピューターシステムであって良いが、また持ち運び不可能なコンピューターシステム（例えば、デスクトップシステム、サーバーなど）であっても良い。コンピューターシステム２３０は、例えばバッテリーのような直流電流（ＤＣ）電源２７５と共に用いられて良い。代案として、コンピューターシステム２３０はまた、交流電流（ＡＣ）電源（示されない）と共に用いられて良い。コンピューターシステム２３０は、中央演算処理装置（ＣＰＵ）又はプロセッサー２５０、及び、例えばランダムアクセスメモリー（ＲＡＭ）、読み出し専用メモリー（ＲＯＭ）等の組み合わせであって良いメモリー２５５を有して良い。コンピューターシステム２３０は、例えばディスクドライブ等であって良い記憶媒体２６０を有して良い。コンピューターシステム２３０はまた、キーボード、カーソル移動制御装置２２０及びディスプレイ２２５を有して良い。
【００１４】
ある実施例では、コンピューターシステム２３０はまた、例えばデジタルカメラのような画像キャプチャ装置３１５を有して良い。画像キャプチャ装置３１５は、結合装置（示されない）を用いコンピューターシステム２３０と結合されて良い。代案として、画像キャプチャ装置３１５は、ディスプレイ２２５を介しコンピューターシステム２３０と統合されて良い。画像キャプチャ装置３１５をコンピューターシステム２３０と結合する他の方法が用いられても良い。ある実施例では、画像キャプチャ装置３１５は、コンピューターシステム２３０の前の画像を捉えるよう位置付けられて良い。標準的に、ユーザーがコンピューターシステム２３０の近く又は前に位置する場合、ユーザーは、画像キャプチャ装置３１５により捉えられる画像内に含まれ得る。コンピューターシステム２３０のオペレーティングプラットフォーム（例えば、Ｗｉｎｄｏｗｓ（登録商標）等）に依存して、デバイスドライバー（示されない）は、画像キャプチャ装置３１５を有効にし、コンピューターシステム２３０と相互作用させるために用いられて良い。
【００１５】
ある実施例では、コンピューターシステム２３０は、電力管理モジュール２６５を有して良い。電力管理モジュール２６５は、コンピューターシステム２３０内の種々の構成要素の電力消費を制御して良い。例えば、電力管理モジュール２６５は、ディスプレイ２２５、プロセッサー２５０、記憶媒体２６０等の電力消費を制御して良い。電力管理モジュール２６５は、知られている技術を用い種々の構成要素の電力消費を制御して良い。例えば、電力管理モジュール２６５は、電力制御インターフェース（ＡＣＰＩ）（２．０ａ版、２００２年３月３１日）に記載の異なるプロセッサー電力消費状態（例えば、Ｃ０、Ｃ１、Ｃ２、及びＣ３）を用い、プロセッサー２５０の電力消費を制御して良い。電力管理モジュール２６５は、ソフトウェア、ハードウェア、又はソフトウェア及びハードウェアの両方の組み合わせで実施されて良い。
【００１６】
［画像処理］
ある実施例では、コンピューターシステム２３０は、画像処理モジュール２７０を有して良い。画像処理モジュール２７０は、画像キャプチャ装置３１５により捉えられた画像を処理するために用いられて良い。画像処理モジュール２７０は、画像キャプチャ装置３１５により異なる形式で捉えられた画像を処理できるよう、異なる画像形式に対応して良い。画像処理モジュール２７０は、画像を受信すると、種々の動作を実行し画像を分析して良い。画像処理モジュール２７０は、ソフトウェア、ハードウェア、又はハードウェア及びソフトウェアの両方の組み合わせで実施されて良い。ある実施例では、サンプリングレートは、画像キャプチャ装置３１５の動作を制御するため選択されて良い。例えば、サンプリングレートは、選択された周波数（例えば、２秒毎）に基づき、画像キャプチャ装置３１５にコンピューターシステム２３０の前の領域の画像を捉えるようにして良い。状況に応じて、捉えられた画像は、コンピューターシステム２３０のユーザーの画像を含んで良い、又は含まなくて良い。
【００１７】
図３は、ユーザーを検出するために用いられ得るバイオメトリック特性の例を示す。ある実施例では、バイオメトリック特性は、顔の輪郭であって良い。例えば、バイオメトリック特性は、画像３５０として示された顔の輪郭を識別することにより検出されて良い。顔の輪郭は、原色（赤（Ｒ）、緑（Ｇ）、青（Ｂ））を用いて表現され得る肌の色により更に検出されて良い。例えば、顔の輪郭が検出され、且つ顔の輪郭の内側で肌の色も検出された場合、類似の輪郭を有し得る如何なる他の物体よりむしろユーザーの顔（ＲＧＢ画像）が検出される。肌の色を検出するために用いられ得る、知られている技術がある。ユーザーの顔のＲＧＢ画像は、ＨＳＶ（色相、彩度、及び明度）色空間に変換され、例えば画像キャプチャ装置の違い、設定の違い等による変化を低減して良い。この例では、ユーザーの顔が検出された場合、特定の基準が満たされるならば、ユーザーは存在すると見なされて良い。
【００１８】
図４は、コンピューターシステムの前のユーザーの位置の例を示す図である。ある実施例では、ユーザーがコンピューターシステム２３０の前の特定の範囲内に居る限り、ユーザーは、捉えられた画像内で、画像キャプチャモジュール２７０により検出されて良い。例えば、範囲は、画像キャプチャ装置３１５のファインダー（示されない）からの可視領域を含んで良い。この範囲は、図４に、破線３４０及び３４５の間の領域として示される。例えば、画像処理モジュール２７０は、ユーザーが位置３０５Ａ、３０５Ｂ、又は３０５Ｃに居る場合、画像内にユーザーを検出可能であって良い。例えば、画像処理モジュール２７０はまた、ユーザーが位置３０５Ｄ又は３０５Ｆに示されるように、範囲から部分的に外れた位置に居る場合、ユーザーを検出可能であって良い。検出閾値は、ユーザーが検出される時を決定するために用いられて良い。例えば、検出閾値は、９０％に設定されて良い。また、顔の輪郭の９０％以上が検出された場合、ユーザーが検出されたと結論づけられて良い。従って、ユーザーは、位置３０５Ｈ又は３０５Ｉに示されるように一部のみが範囲内にある場合、検出されない。勿論、ユーザーは、位置３０５Ｅ又は３０５Ｇに示されるように完全に範囲内にある場合、検出される。
【００１９】
ある実施例では、位置３０５Ｃに示されるように、ユーザーが画像内に検出されるが、ユーザーがコンピューターシステム２３０から遠過ぎて存在すると見なされない。存在閾値は、検出されたユーザーの存在又は不在を決定するために用いられて良い。例えば、存在閾値は、検出されたバイオメトリック特性（例えば、顔の輪郭）の適切な大きさを指定して良い。存在閾値はまた、検出された肌の色の適切な領域を指定して良い。バイオメトリック特性に依存し存在を決定するために、他の技術が用いられても良い。
【００２０】
［電力管理処理］
図５は、ある実施例による、電力管理処理の例を示すフロー図である。この例では、処理は、コンピューターシステムのユーザーがコンピューターシステムを使っている、及び／又はコンピューターシステムの近くに位置しているかどうかを検出するために用いられて良い。
【００２１】
ある実施例では、画像キャプチャ装置は、ユーザーがコンピューターシステムの前又は近くに位置する（又は存在する）場合、通常、電源を切られる。画像キャプチャ装置はまた、ユーザーがコンピューターシステムと相互作用している場合、電源を切られるか、又は低電力状態に置かれて良い。これは、例えば、キーボードの活動、マウスの活動、タッチスクリーン入力、音声入力等を検出することにより、決定されて良い。このように、ユーザーが存在する、又はコンピューターシステムと相互作用している間、画像キャプチャ装置により少ない電力が消費される、又は如何なる電力も消費されない。
【００２２】
ブロック５１０で、コンピューターシステム及び関連するディスプレイは、通常の電源オン状態であり、及び画像キャプチャ装置は低電力又は電源オフ状態である。ブロック５１５で、ユーザーがコンピューターシステムと相互作用しているかを決定するため、検査が行われる。何らかの相互作用が検定された場合、処理はブロック５１０へ流れる。ブロック５１０では、如何なる電力消費の変更も実行される必要がない。ブロック５１５から、ユーザーによる如何なる相互作用もないと決定された場合、処理はブロック５２０へ流れる。ブロック５２０では、画像キャプチャ装置は電源を入れられる。ユーザーの相互作用が検出された時の時間と画像キャプチャ装置が電源を入れられた時の時間の間には遅延がある可能性がある。この遅延は、ユーザーがコンピューターシステムから一時的に離れ得る場合、頻繁に画像キャプチャ装置の電源を切る及び電源を入れることを回避し得る。
【００２３】
ある実施例では、画像キャプチャ装置の電源が入れられた後、画像が捉えられ、そしてブロック５２５に示されるように、ユーザーが存在するかを決定するための検査が実行される。この決定は、画像キャプチャ装置により捉えられた画像を分析することにより実行されて良い。ブロック５２５から、ユーザーが存在する場合、処理はブロック５１０へ流れる。ブロック５１０では、如何なる電力消費の変更も実行される必要がない。
【００２４】
ブロック５２５から、ユーザーが存在しない場合、適切な電力節約動作が実行される。ユーザーが存在しないと検出された時の時間と電力節約動作が実行された時の時間の間には遅延がある可能性がある。ブロック５３０では、ディスプレイにより消費される電力は低減され得る。これは、例えば、ディスプレイを暗くする又はディスプレイの電源を切ることを含む。ブロック５３５で、画像キャプチャ装置は、低電力状態に置かれるか、又は電源を切られて良い。ブロック５４０で、コンピューターシステムは、電力低減状態に置かれて良い。処理は、次にブロック５４５へ流れ、そして起動信号を待って良い。留意すべき点は、ブロック５３０及び５３５と関連した動作が実行されている時、ユーザーはコンピューターシステムに戻って良いことである。これは、例として、ブロック５４５及びブロック５３０及び５３５の間の破線で示される。ある実施例では、ユーザーがコンピューターシステムから離れていた後に戻った場合、ユーザーは、コンピューターシステムに起動信号を供給し、コンピューターシステムを通常の電源オン状態に戻す必要がある。これは、例えば、キーボードの通常のキー又は機能キー（例えば、Ｆ１キー）を押下することを含む。
【００２５】
ブロック５４５から、如何なる起動信号も検出されない場合、コンピューターシステム及び他の関連する構成要素は、低電力消費状態のままであって良い。これは、電源を切られた状態を含む。しかしながら、１つ以上の起動信号が受信された場合、処理は、次にブロック５４５からブロック５１０へ流れる。ブロック５１０では、プロセッサー、ディスプレイ等は、通常の電源オン状態に置かれる。留意すべき点は、画像キャプチャ装置は、低電力状態又は電源オフ状態のままで良い。
【００２６】
図６は、ある実施例による、タイマーに基づく技術と比較する場合の電力節約の例を説明する図である。図６の上部に、異なるユーザー状態のいくつかの例を示す。これらは、存在する、存在しない、及び／又はコンピューターシステムと相互作用している、を含む。この例では、電力使用中状態及び電力低減状態は、ディスプレイの状態を参照する。ここで、使用中状態は、通常の電源オン状態であり、また電力低減状態は電源オフ状態である。
【００２７】
グラフ６１０は、従来技術のタイマーに基づく技術を用いるディスプレイの電力状態を示す。従来技術に対する本発明の実施例の利点を説明する目的で、単一のキーストロークが時刻ｔ１、ｔ４及びｔ８で入力される。単一のキーストロークは、ディスプレイを電源オン状態にさせて良い。タイマーに基づく技術を用いると、ディスプレイは、時刻ｔ１乃至ｔ３、ｔ４乃至ｔ７の間、及びｔ８の後のある時間の期間、電源オン状態のままである。ディスプレイは、時刻ｔ３乃至ｔ４の間、及びｔ７乃至ｔ８の間、電力節約状態又は電力低減状態に入って良い。このタイマーに基づく技術は、ユーザー３０５の存在又は不在を考慮せず、そしてディスプレイを必要以上に長く電源オン状態のままにさせ得るので効率的でない。
【００２８】
図６のグラフ６１５は、ユーザーの存在及び入力検出又はリアルタイム技術の組み合わせを用いるディスプレイの電力状態を示す。時刻ｔ０で、ディスプレイは低電力状態にある。ディスプレイは、時刻ｔ１でキーストロークが入力された後、電源オン状態に置かれる。ディスプレイは、時刻ｔ２まで電源オン状態のままである。時刻ｔ２からｔ３及びｔ４まで、ユーザーがコンピューターシステムと相互作用していないので、及び／又はユーザーが存在しないので、ディスプレイは、電力低減状態又は低電力状態に置かれる。留意すべき点は、ディスプレイが、タイマーに基づく技術が用いられた場合より長い期間ｔ３−ｔ２の間に電力低減状態であることである。この電力節約の差は、斜線のブロック６５０として示される。
【００２９】
時刻ｔ４で、キーストロークが検出され、そしてディスプレイは電源オン状態に置かれる。時刻ｔ５で、如何なるユーザー相互作用も検出されず、且つ如何なるユーザーも存在せず、ディスプレイは、時刻ｔ６、ｔ７を通じ、及び別のキーストロークが検出される時刻ｔ８まで、電力低減状態に置かれる。留意すべき点は、ディスプレイが、タイマーに基づく技術が用いられた場合より長い期間ｔ７−ｔ５の間に電力低減状態であることである。この電力節約の差は、斜線のブロック６５５として示される。
【００３０】
従って、同一の状況では、グラフ６１５は、キーボード検出及びユーザー存在の技術を用い、グラフ６１０に示されたタイマーに基づく技術より頻繁に、ディスプレイが電力低減状態又は低電力状態に置かれることを示す。ある実施例では、従来のタイマーに基づく技術と併せて組み合わせ技術が用いられ、更なる電力の節約を提供して良い。
【００３１】
［コンピューター読み取り可能な媒体］
これら種々の方法の動作は、コンピューターシステム内のプロセッサーにより実施されて良い。プロセッサーは、機械読み取り可能な記憶媒体であると考えられ得るメモリーに格納された連続するコンピュータープログラム命令を実行する。例えば、コンピューターシステムは、コンピューターシステム２３０であって良い。また、機械読み取り可能な記憶媒体は、図２に示された記憶媒体２６０であって良い。メモリーは、ランダムアクセスメモリー（ＲＡＭ）、読み取り専用メモリー（ＲＯＭ）、大容量記憶装のような固定記憶メモリー、又はこれら装置の如何なる組み合わせであって良い。連続する命令の実行は、プロセッサーに、例えば図５に説明された動作のような、本発明のある実施例による動作を実行させる。
【００３２】
画像キャプチャ装置を用いること、及びユーザー相互作用を検出することにより、コンピューターシステム内の電力消費を低減する技術が開示された。本技術は、リアルタイムで動作し、ユーザーの不在が決定された直後に電力消費を低減させて良い。本技術は、画像キャプチャ装置が常時電源オンであることを必要としない。更に、本技術は、ユーザーがコンピューターシステムと相互作用している間、同一の画像キャプチャ装置を他の用途に利用可能にし得る。
【００３３】
本発明は、本発明の特定の例である実施例に関連して説明された。しかしながら、本開示の利益を有する者には、本発明の広範な精神及び範囲から逸脱することなく、これら実施例に種々の修正及び変更がなされ得ることが明らかである。従って、本願明細書及び図は、制限的なものでなく説明のためであると見なされる。
【図面の簡単な説明】
【００３４】
【図１】電力管理選択を指定するために用いられるポップアップウインドウの従来の例を示す。
【図２】ある実施例によるコンピューターシステムの例を示す図である。
【図３】ユーザーを検出するために用いられ得るバイオメトリック特性の例を示す。
【図４】コンピューターシステムの前のユーザーの位置の例を示す図である。
【図５】ある実施例による、電力管理処理の例を示すフロー図である。
【図６】ある実施例による、タイマーに基づく技術と比較する場合の電力節約の例を説明する図である。
【図１】
2008503837.tif 000002
【図２】
2008503837.tif 000003
【図３】
2008503837.tif 000004
【図４】
2008503837.tif 000005
【図５】
2008503837.tif 000006
【図６】
2008503837.tif 000007
【国際調査報告】
2008503837.tif 000008
2008503837.tif 000009
2008503837.tif 000010